(57)【要約】      （修正有）【課題】足場図面を簡単に作成できる物差しを提供する。【解決手段】透明板体の長辺の縁に沿って長辺と並行に刻まれた第１の目盛線２０と、長辺と直交する短辺の縁に沿って短辺と並行に刻まれた第２の目盛線３０と、第１の目盛線に刻まれた目盛を基準にして第１の単位長２４ごとに、第２の目盛線３０と並行に線刻された複数の第１の測長線２２と、第２の目盛線３０に刻まれた目盛を基準にして第２の単位長３４ごとに、第１の目盛線と並行に線刻された複数の第２の測長線３２とを有する物差しである。足場用支柱の立設位置の設定は第１の測長線の目盛を用い、足場用踏板の取付位置の設定は第２の測長線の目盛を用いることで、簡単に足場図面を作成できる。【選択図】図２
0003215262.tif 000002
【実用新案登録請求の範囲】
【請求項１】
透明板体の一辺の縁に沿ってこの一辺と並行に刻まれた第１の目盛線と、
上記一辺と直交する他辺の縁に沿ってこの他辺と並行に刻まれた第２の目盛線と、
上記第１の目盛線に刻まれた目盛を基準にして第１の単位長ごとに、上記第２の目盛線と並行に線刻された複数の第１の測長線と、
上記第２の目盛線に刻まれた目盛を基準にして第２の単位長ごとに、上記第１の目盛線と並行に線刻された複数の第２の測長線と
からなり、
足場用支柱の立設位置の設定は上記第１の測長線が使用され、足場用踏板の取付位置の設定は上記第２の測長線が使用される
ことを特徴とする足場図面作成用物差し。
【請求項２】
上記第２の測長線には上記第１の単位長に対し整数分の１刻みの目盛が刻まれた
ことを特徴とする請求項１記載の足場図面作成用物差し。
【請求項３】
上記第１の測長線には上記第２の単位長に対し整数分の１刻みの目盛が刻まれた
ことを特徴とする請求項１記載の足場図面作成用物差し。
【請求項４】
上記第１の目盛線と上記第２の目盛線３０とは、異なる色で線刻された
ことを特徴とする請求項１〜３何れか記載の足場図面作成用物差し。
【請求項５】
上記透明板体は短冊状をなす板体であり、
上記一辺を長辺側としたとき、上記他辺が短辺側である
ことを特徴とする請求項１〜４何れか記載の足場図面作成用物差し。
【考案の詳細な説明】
【技術分野】
【０００１】
この考案は、建物の構築時や解体時に必要な足場図面作成用の物差しに関する。
【背景技術】
【０００２】
建物（建屋）を構築したり、解体する場合その建物に応じた足場を組む必要がある。足場は作業の安全性を考慮した上で足場図面が作成される。足場を組むには、ジャッキベース、各種の支柱、踏板、手摺、筋交いなどの複数の資材（部材）を多数使用する必要があるので、これらの資材を部品として使用して作成される足場用図面は、一般には足場用図面作成支援ツールが使用される。支援ツールとしては特許文献１〜６に示すようなツールが知られている。
【０００３】
特許文献１は足場用工事の見積もりの精度の向上を図ると共に、見積もりの時間を短縮するために使用される支援ツールである。特許文献２は、仮設足場設計支援システムであって、三次元ＣＡＤを利用して仮設足場が必要な領域を、足場を支える支柱の設置可能個所を可視化して、支柱の設計を支援するシステムである。
【０００４】
特許文献３も、同様な仮設足場設計支援システムの一例であって、安全性を担保した仮設足場を容易に設計できるようにしたコンピュータを使用した支援システムである。
【０００５】
特許文献４は、建築用物差しであって、瓦を切断するときに使用される。屋根の勾配を考慮したくさび形物差しである。
【０００６】
特許文献５も、建築用物差しであって、建築基準法等の各種制約を簡単にチェックできるように、制限線（道路斜線、北側斜線など）を設定するための補助線がその物差しに刻印されている。
【０００７】
特許文献６は、土木、建築用の設計図を一旦縮尺コピー機にて縮小、拡大した図面の各部の長さを用紙サイズで縮小した状態での長さを計測できるようにした建築用の物差しであって、縮小または拡大されたコピー図面の原寸を簡単に知ることができるように工夫されている。
【０００８】
以上説明した先行技術は何れも専用ソフトなどを使用して足場用図面を作成する技術であるが、これらよりももっと簡便な作図法がある。
【０００９】
例えば、一般家屋の足場用図面などとして使用されているもので、市販されている物差しを使用するものである。物差しは通常１ｍｍ単位で目盛が刻まれた全長１５〜３０ｃｍ程度のもので、竹材やプラスチック材が素材として使用され、５ｍｍ、１ｃｍごとに太く、長い目盛が刻まれている。元請けから送られてきた元図を利用して物差しを当てながら、建屋の壁面からの離れ（ハナレ）を求めたり、支柱の間隔を求めたりして作図している。
【先行技術文献】
【特許文献】
【００１０】
【特許文献１】特開２００２−２３００７９号
【特許文献２】特開２０００−４８０６１号
【特許文献３】登録実用新案３１７９４４７号
【特許文献４】特開２００８−１９６２１９号
【特許文献５】特開２０００−１７７２９４号
【特許文献６】実開平５−３９０２号
【考案の概要】
【考案が解決しようとする課題】
【００１１】
ところで、上述した特許文献１〜３に開示された足場図面作成支援ツールは、何れもＣＡＤなどを使用した支援ソフトを用いて作成されるのが一般的である。このような支援ソフトを使用して足場を設計するのは、建物自体が１，０００ｍ２以上の面積を有する建物に対して適用される場合が一般的である。
【００１２】
これに対して、２００〜３００ｍ２以下の建物に対してその構築や解体を行う場合には、支援ツールをいちいち立ち上げながらパソコンを使用して図面作成の作業をするよりも、より簡便な方法として手作業で足場用図面を作成しているのが殆どであり、場合によっては手作業の最後の工程で、資材データ（部材データ）を当て嵌めて完成させている。
【００１３】
この手作業による足場用図面の作成は、元請け側から渡された図面（平面図および４つの立面図）（図面データの場合もある）に、足場用資材を、使用する資材の寸法を考慮しながら書き込んでいる。
【００１４】
しかし、そのための手書き用の支援ツールは特にない。一般には、上述したように図画工作などで使用されている物差しなどを流用しているが、寸法の異なる複数の資材の長さや幅を考慮しながら、間違いなく作成作業するのは、ベテランと言えど、神経を使う大変な作業である。
【００１５】
特許文献４〜６は建築関連に使用される支援ツールとしての物差しであるが、何れも足場用図面を作成するために案出された物差しではない。足場用図面を作成するための支援ツールとして転用することもできない。
【００１６】
また、上述したように市販の物差しを使用して作図した場合にもそれなりの問題が指摘されている。
【００１７】
元図は物差しの目盛に合うように、縮尺が１／１００となっているものが原図として使用される場合が多い。また足場用資材は、その寸法（サイズ）が数種類存在する。例えば、一側足場（ビケ足場）用では踏板のサイズ（スパン：長さ）は、１８００ミリ、１２００ミリ、９００ミリおよび６００ミリのような各種サイズが用意されている。踏板のサイズに合わせて支柱の立て位置が決まる。支柱も１９００ミリが標準で、コマの位置はその１／４の間隔（４７５ミリ）で決まっている。１８００ミリの支柱の場合には４５０ミリがコマの位置となる。１９００ミリサイズ以上の支柱も存在する。
【００１８】
物差しを使用した足場用図面の作図は、足場用資材そのものを図面上に描くのではなく、取り付ける位置や間隔が分かるように、支柱の位置は○で表記し、手摺やブラケット、踏板などは線分を連結したりして表記する簡易法を採用する場合がある。
【００１９】
このような足場用資材を使用して足場用図面を簡易に作図する場合、上述した物差しを使用した作図は簡便である反面、以下のような使用上の問題点が指摘されている。
【００２０】
（ａ）建物の形状や支柱を立てる足元の状態によって９００ミリサイズや１２００ミリサイズのように、割りの位置を変える必要がある。例えば、建物の長さを測った結果、足元の状況から、（１８００，９００，１８００，１２００，１８００）ミリのような割り付けとなる場合を参考にすると、物差しの実寸で、０ミリを左端の支柱に合わせたとき、次の支柱は１８ミリの位置、その次の支柱は２７ミリの位置、その次が４５ミリ、５７ミリ、７５ミリというように、支柱の取り付け位置を順次ずらしながら支柱ポイントを図面上に落とし込む。この割り付けを物差しの目盛を目安にして行う。
【００２１】
しかし、この割り付け作業は１ミリ単位で目盛の数をカウントしながら行うため、結構面倒な作業となる。特に、上述したように支柱を立てるとき、踏板の長さを何種類も用いる必要があるときは、面倒な作業となる。
【００２２】
（ｂ）通常の物差しは殆どが黒で刻印されている。建物の元図も物差しの線と同じ黒線であるから、元図の線と、物差しの線とを混同して見間違うことがある。特に仕事が立て込んでいるようなときはこのようなイージーミスが起きやすい。
【００２３】
（ｃ）足場用図面に必要な間隔、特に支柱の間隔は踏板の長さによって決まり、踏板は３００ミリの倍数の長さとなっているので、１／１００縮尺では３ミリとなる。したがって、足場用の物差しとしては３ミリ未満の、１ミリおよび２ミリの目盛は不要となるばかりか、市販されている物差し（定規）のように１ミリ間隔で目盛が付されていると、これらの目盛があるために作業性の効率化を阻害している。
【００２４】
（ｄ）上述したように例えば最後の割り付けを行うには、５７ミリのポイントを元図上に落とし込まなくてはならない。通常の物差しでは、５ｃｍの目盛の位置から５ミリ、６ミリ、７ミリと数えた位置が目的の支柱ポイントとなるため、このミリ単位の目盛を正確にかつ素早く探し当てるにはそれなりの熟練やコツを必要とする。
【００２５】
このように通常の物差しを使用して足場用図面を作図するのは、一見簡便なような作業にも見えるが、それほどでもないことが判る。
【００２６】
そこで、この考案ではこのような従来の課題を解決したものであって、専用のソフトを使用することなく、手書き用の支援ツールとして使用できる足場用図面専用の物差し（定規）を提供するものである。
【課題を解決するための手段】
【００２７】
上述した課題を解決するため、請求項１記載に係る足場図面作成用物差しは、透明板体の一辺の縁に沿ってこの一辺と並行に刻まれた第１の目盛線と、上記一辺と直交する他辺の縁に沿ってこの他辺と並行に刻まれた第２の目盛線と、
上記第１の目盛線に刻まれた目盛を基準にして第１の単位長ごとに、上記第２の目盛線と並行に線刻された複数の第１の測長線と、
上記第２の目盛線に刻まれた目盛を基準にして第２の単位長ごとに、上記第１の目盛線と並行に線刻された複数の第２の測長線と
からなり、
足場用支柱の立設位置の設定は上記第１の測長線が使用され、足場用踏板の取付位置の設定は上記第２の測長線が使用されることを特徴とする。
【００２８】
請求項２記載に係る足場図面作成用物差しは、請求項１記載の物差しであって、上記第２の測長線には上記第１の単位長に対し整数分の１刻みの目盛が刻まれたことを特徴とする。
【００２９】
請求項３記載に係る足場図面作成用物差しは、請求項１記載の物差しであって、上記第１の測長線には上記第２の単位長に対し整数分の１刻みの目盛が刻まれたことを特徴とする。
【００３０】
請求項４記載に係る足場図面作成用物差しは、請求項１〜３何れか記載の物差しであって、上記第１の目盛線と上記第２の目盛線とは、異なる色で線刻されたことを特徴とする。
【００３１】
請求項５記載に係る足場図面作成用物差しは、請求項１〜４何れか記載の物差しであって、上記透明板体は短冊状をなす板体であり、
上記一辺を長辺側としたとき、上記他辺が短辺側であることを特徴とする。
【考案の効果】
【００３２】
この考案に係る足場図面作成用物差しは、互いに直交する測長線をそれぞれ異なった単位長に基づいて複数線刻し、一方の測長線を足場用支柱の立設位置をプロットするために用い、他方の測長線を足場用踏板の取り付け位置をプロットするために用いるようにしたものである。
【００３３】
一方の単位長は踏板のサイズをベースにし、他方の単位長は支柱のサイズ（コマの間隔）をベースにしたものであり、測長用の目盛は踏板や支柱で使用されるサイズを基準とした目盛以外は物差しに刻まれていないから、踏板と支柱などからなる足場用図面を極めて簡単に、物差しと元図に目盛の位置をプロットするための筆記具だけで作成できる。そのため経験の少ない現場作業者でも正確かつ確実に、しかも短時間に元図上に足場用図面を作図できる特徴を有する。
【００３４】
支柱の配置や踏板の取付け間隔などに必要な目盛りのみが刻まれ、余分な目盛りが一斉付されていないため、割り付け作業を正確かつ迅速に行うことができる。
【００３５】
線刻された物差しの線をカラーで表示するきには、元図の線と明確に判別できるので、両者の混同を防止できる。
【００３６】
線刻された目盛りは、支柱の配置や踏板の取付間隔に用いる。夫々最小単位を基準にしているので、目盛りを数えるだけで、支柱の配置位置及び踏板の取付け間隔を設定できるため、作図作業の効率化を図れる。
【００３７】
この考案に係る物差しは、支柱を配置するために必要な測長線と目盛及び、踏板の取付け間隔を決める測長線と目盛が、同一板体上に刻まれているため、この物差し１つで足場用図面を作成できる。したがってこの考案は極めて簡便な足場図面作成用ツールを提供できる。
【図面の簡単な説明】
【００３８】
【図１】この考案に係る物差しの一例を示す原寸大の平面図であって、センチサイズの一側足場に適用したときの平面図である。
【図２】その拡大平面図である。
【図３】この考案に係る物差しを利用して足場用図面として支柱の設置位置を説明するために仮にプロットしたときの物差しと設置位置関係の一例を示す平面図である。
【図４】物差しと、プロットした支柱の位置関係の他の例を示す図３と同様な平面図である。
【図５】元図の一例を示す平面図である。
【図６】図５の平面図にハナレを考慮したときの足場図面の外枠を線図したときの平面図である。
【図７】図５の元図に足場図面として支柱の設置位置関係を、この考案に係る物差しを使用してプロットしたときの一例を示す図である。
【図８】元図としての東面側の立面図に、足場図面として踏板の設置位置関係を、この考案に係る物差しを使用してプロットしたときの一例を示す図である。
【図９】同様に、元図としての西面側の立面図に、足場図面として踏板の設置位置関係を、この考案に係る物差しを使用してプロットしたときの一例を示す図である。
【図１０】同様に、元図としての南面側の立面図に、足場図面として踏板の設置位置関係を、この考案に係る物差しを使用してプロットしたときの一例を示す図である。
【図１１】同様に、元図としての北面側の立面図に、足場図面として踏板の設置位置関係を、この考案に係る物差しを使用してプロットしたときの一例を示す図である。
【図１２】この考案に係る物差しの他の例（（１８００，１８００）用物差し）を示す図１と同様な平面図である。
【図１３】この考案に係る物差しの他の例（（１８２９，１９００）用物差し）を示す図１と同様な平面図である。
【図１４】この考案に係る物差しの他の例（（１８２９，１８００）用物差し）を示す図１と同様な平面図である。
【図１５】この考案に係る物差しをインチサイズの枠組足場用に適用した場合の、図１と同様な平面図である。
【考案を実施するための形態】
【００３９】
この考案に係る物差しは、支柱を配置するために必要な測長線と目盛及び、踏板の取付け間隔を決める測長線と目盛が、同一板体上に刻まれているため、この物差し１つで足場用図面を作成できる。
【００４０】
続いて、この考案に係る足場図面作成用物差しの一例を、図面を参照して説明する。
【００４１】
以下に示す実施例１は足場として一側足場（ビケ足場）に使用して好適な例である。一側足場ではサイズはセンチ（メータ）単位である。踏板のサイズ（スパン）としては１８００ミリ（ｍｍ）、１２００ミリ、９００ミリ、６００ミリ等様々であるが、以下の例では幅が６００ミリで、長さが１８００ミリ以下のサイズを使用する場合について説明する。支柱にあっても１９００ミリや１８００ミリサイズのものが存在するが、以下の例では１９００ミリサイズの物差し（（１８００，１９００）用物差し）について説明する。
【００４２】
これら以外のサイズについては実施例２以下で説明する。枠組足場については（実施例５）で説明する。
【実施例１】
【００４３】
図１は一側足場に適用される（１８００，１９００）用物差し１０の具体例である。図１は物差し１０を原寸で描いてあるが、図２の拡大図を参照して説明する。
【００４４】
図２に示すように物差し１０は透明で、薄い短冊状のアクリル板等で構成された板体１２からなる。板体１２の一辺（この例では長辺）側の縁には、この縁に沿って長手方向に延びるように線刻された第１の目盛線２０と、一辺と直交する他辺（短辺）側の縁にも、この縁に沿って長手方向に延びるように線刻された第２の目盛線３０を有する。
【００４５】
第１の目盛線２０は支柱の立設位置を元図上にプロットするときに使用される目盛線で、踏板のサイズに合わせた第１の目盛２６が刻印される。
【００４６】
元図の縮尺が１／１００であるときには、原寸の１００ミリが１ミリに縮尺されるので、この縮尺にあわせて第１の目盛２６が刻まれる。そして、踏板の場合３００ミリサイズ以下は使用されないので、第１の目盛２６は３ミリ単位で刻まれている。したがって１ミリと２ミリの目盛は存在しない。
【００４７】
踏板は１８００ミリサイズがベースとなるので、この１８００ミリサイズが第１の単位長２４として使用され、物差し１０の中では１／１００に縮尺した１８ミリが第１の単位長２４となる。この第１の単位長２４の整数分の１、この例では１／６である３ミリが最小目盛として使用される。したがって第１の目盛線２０には３ミリ刻みで第１の目盛２６が付されることになる。
【００４８】
第２の目盛線３０は踏板の取り付け位置（高さ方向における取り付け位置）を元図上にプロットするときに使用される目盛線で、第２の目盛線３０には支柱の長さに合わせた第２の目盛３６が付されるが、さらにその整数分の１が最小目盛として使用される。
【００４９】
上述したように支柱が１９００ミリサイズであるときは、この１９００ミリが第２の単位長３４となり、１／１００縮尺のときは１９ミリが第２の単位長３４として使用される。第２の目盛線３０における最小目盛（第２の目盛３６）は支柱に設けられたコマの間隔に選定され、支柱が１９００ミリサイズであるときは、その１／４が最小目盛となる。原寸で言うと４７５ミリであり、１／１００縮尺では、４．７５ミリとなる。したがって第２の目盛線３０にはこの最小目盛ごとに目盛が刻まれている。
【００５０】
この物差し１０にはさらに、第１の目盛線２０に刻まれた第１の目盛２６を基準にして第１の単位長２４ごとに、第２の目盛線３０と並行に第１の測長線２２が複数本線刻され、また第２の目盛線３０に刻まれた第２の目盛３６を基準にして第２の単位長３４ごとに、第１の目盛線２０と並行に第２の測長線３２が、複数本線刻されている。
【００５１】
第１の測長線２２は、足場用支柱の立設位置をプロットするときに使用され、第２の測長線３２は足場用踏板の取付位置をプロットするときに使用される。したがって、元図の平面図では第１の測長線２２を使用して支柱の位置がプロットされ、元図の立面図（左右の側面図）では、第２の測長線３２を使用して、踏板の取り付け位置がプロットされる。そのため、図２のように第１の測長線２２のそれぞれには第２の単位長３４によって決まる最小目盛（４．７５ミリ）が第１の目盛２６として刻まれ、第２の測長線３４のそれぞれには第１の単位長２４によって決まる最小目盛（３ミリ）が第２の目盛３６として刻まれている。
【００５２】
第１の測長線２０と第２の測長線３０とは互いに直交しているが、両者を峻別し易くするため、色分けされている。例えば第１の測長線２０を赤色で表したときには、第２の測長線３０は青色で表されている。これで、両者の用途や用い方を容易に区別できるようになる。
【００５３】
図３に示す実施例は踏板として１８００ミリサイズ、支柱として１９００ミリサイズを標準とした足場用資材を使用する場合に好適な物差し１０であるので、この標準サイズ（１８００，１９００）の物差し１０であることを明示してサイズを間違わないようにするため、適当な箇所にこの標準サイズの数値１８００と１９００が刻印されている。図３では、第１の測長線２０と第２の測長線３０との間に、数値が刻まれているが、その位置は任意である。
【００５４】
このように構成された物差し１０の使用例を、支柱の立設位置をプロットするときの例にとって図３を参照して説明する。
【００５５】
平面図において建物の長さが判れば、これに仮決めしたハナレの値を加えた長さを基準にしてこの全長よりも長い値であって、この全長に最も近い値が使用する踏板の全長となる。
【００５６】
踏板の長さが判れば、後は支柱をどのように割り付けるかだけであって、足元の状況を踏まえながら、物差し１０を使用して支柱の割り付けを行う。例えば、建物の壁面から内側の支柱までの間隔（ハナレ）が３００ミリ、壁面から外側の支柱までの間隔が９００ミリで、ハナレを含めた全長が７５００ミリであった場合、縮尺を１／１００としてこの考案に係る物差し１０を適用する。
【００５７】
この場合には、元図に物差し１０を置き、７５００ミリをカバーできるように物差し１０を動かしながら割り付けを行う。その結果、図３（ａ）の例では、第１の測長線２２を利用して１８００ミリ間隔で３本の支柱を立て、さらにその両側に第１の目盛線２０を目安にして端数の９００ミリと１２００ミリの支柱を取れば、丁度７５００ミリとなることが判る。左側に９００ミリサイズの踏板を置くか、１２００ミリサイズの踏板を置くかは、支柱立設位置の足元の状況によって定める。図３の例では左端部が支柱割り付けの基準点となる。
【００５８】
図４の（ｂ）あるいは（ｃ）の例では、端数の部分を右端側に寄せた割り付けた例である。なお、図４では説明の都合上、物差し１０を固定して、元図側（建物側）を動かして割り付けを行っているように図示されているが、実際には物差し１０を動かして割り付けが行われる。
【００５９】
次に、実際の元図を利用して支柱の立設位置や踏板の取り付け位置を求める例を図５以下に示す。図５は一般家屋の平面図であり、図８〜図１１はその立面図（東西南北の４面図）である。
【００６０】
縮尺は、１／１００である。説明を容易にするため、建物の平面は矩形の家屋とする。矩形であるために南面と北面および東面と西面とは何れも支柱および踏板の数は同じである。
【００６１】
図６を参照して南面側から求めてみる。元図の平面図に物差し１０を置くと、この物差し１０が透明であるため、建物に物差し１０を合わせれば、使用する踏板の数や全長Ｌｘが大凡判る。この全長Ｌｘは建物の全長Ｌａに壁芯からの長さｃ／２にハナレａを加えた長さＬｏ、
Ｌｏ＝Ｌａ＋２ａ＋ｃ
に等しいか、これよりも若干長くなくてはならない。
【００６２】
図６の例では、ｃ＝１２０ミリ、仮決めされたハナレａ＝９００ミリとすると、全長Ｌｏａは１２，８４０ミリとなる。
【００６３】
一方、第１の測長線２２を用いて計測すると、全長Ｌｘは、
Ｌｘ＝１８００×７＝１２６００ミリでは、短か過ぎ、
Ｌｘ＝１８００×８＝１４４００ミリでは、長過ぎるため、
Ｌｘ＝１８００×７＋αが、できるだけＬｏａに近くなるには端数αとしての踏板サイズは３００ミリが適当である。この３００ミリサイズは実際の現場では余り使用されていないので、これ以外の踏板を考えると、
Ｌｘ＝１８００×６＋１２００＋９００＝１２９００ミリ
がＬｏａに最も近い踏板の組合せとなる。
【００６４】
ただし、Ｌｘ−Ｌｏａ＝６０ミリとなるので、これを左右のハナレにそれぞれ振り分けると結局ハナレの長さａは、
ａ＝９００＋３０＝９３０ミリとなる。
【００６５】
Ｌｏａに最も近い物差し１０上の線分Ｌｘは、実際にはこの物差し１０に元図を当てて、第１の測長線の数と端数αを数えるだけで簡単に求めることができる。後は踏板の基点（始点）ｍ１（図７参照）を決めて割り付けすればよい。
【００６６】
同様にして、東面側に設置される足場が求められる。
【００６７】
Ｌｏｂ＝７２８０＋１８００＋１２０＝９２００ミリ
この全長Ｌｏｂに最も近く、しかもＬｏｂよりも長い踏板の長さＬｙは、物差し１０を用いることによって、
Ｌｙ＝１８００×４＋１２００＋９００＝９３００ミリ
となる。この場合１００ミリ余るので、左右のハナレに振り分けると、仮決めされたハナレの長さｂは、結局ｂ＝９００＋５０＝９５０ミリとなる。
【００６８】
そのため、ハナレの長さは仮決めされた値（図６鎖線図示）より、南北、東西とも僅かに幅広となり、実際の足場は図６の破線図示のようになり、この破線の間に踏板取り付け用の支柱が割り付けされる。
【００６９】
図７のように、物差し１０の第１の測長線２２を目印にして元図にプロットされる支柱（外側支柱）の割り付け位置を丸印で示す。端数となった踏板の割り付けは南北および東西では反対にした例を示す。内側の支柱Ｔ１〜Ｔ６は、踏板２枚分（２スパン分）ごとに割り付けられ、壁面からのハナレは３０ミリが標準である。内側と外側の支柱間隔としては、踏板を載置固定できる幅（通常６００ミリ）が確保される。踏板としては上述したように標準サイズ（長さ１８００ミリ、幅６００ミリ）の踏板が使用される。
【００７０】
外側の支柱Ｓ１，Ｓ２，・・・同士は手摺と踏板とで相互が連結され、外側の支柱Ｓと内側の支柱Ｔとはブラケット（破線図示）によって連結される。内側の支柱Ｔと支柱Ｓとの間にもブラケット（破線図示）が取り付けられて、その上に踏板が載置されることになる。
【００７１】
図７のようにして足場用図面の作成が終了した平面図に基づいて、次は立面図に足場用図面を落とし込む。
【００７２】
図８は東面側の立面図である。この例では切妻屋根の妻壁に沿って平面図で作図した通りに支柱が立設される。東面側の立面図を用いて支柱および踏板を作図するに当たっては物差し１０に線刻された第２の目盛線３０と第２の測長線３２が利用される。図７および図８のように支柱を示す支柱線ｍ２，ｍ４、Ｗ１〜Ｗ５を描いた後に、左右両端の支柱線ｍ２，ｍ４に第２の測長線３２に刻まれた第２の目盛３６を使用してコマの位置をプロットする。建物の高さは４５００ミリ程度あるので、その程度の長さの支柱を用意するか、２本程度連結して使用する。支柱の標準サイズは１９００ミリであるので、コマの間隔は４７５ミリである。コマの間隔は第２の測長線３２に目盛として刻まれているので、この第２の目盛３６を使用して左右両端に位置する支柱線ｍ２，ｍ４にコマの位置をプロットする。コマの位置を立面図にプロットするのは簡単な作業である。
【００７３】
足場として使用される支柱の長さは上述したようにほぼ４５００ミリである、同図において、支柱と支柱の間に付された数字、例えば支柱ｍ２とＷ１との間に付された数字「１」は、踏板が設置されるコマの位置（段数）を示す。右端の支柱ｍ２を残して地面（GD）より１段目のコマに嵌め込まれたブラケット（図示はしない）を利用して踏板が設置される。窓の位置までの昇り降りを容易にするため、窓を挟んでその下側は窓を中心にして左右に２段目と３段目のコマを利用して１段づつ段差を設けて踏板が配置される。
【００７４】
窓の上側も４段目から７段目のコマを用いて踏板が階段状に配置される。踏板は必要に応じて増設・変更されるが、その場合においても立面図上にプロットされたコマの位置を基準にして行われる。このように段差をつけて踏板を張り付けるのは作業の効率化を図るためであり、段差のある踏板配置のための作図も第２の測長線３４の第２の目盛３６を利用すれば簡単に実行できる。
【００７５】
図９は西面側の立面図であり、この場合も図７の平面図においてプロットした支柱の位置が参照される。西面側には、玄関、玄関の庇があるので、これらを考慮して支柱の長さや補助支柱の設置などが決定される。
【００７６】
例えば、図の場合には中央に玄関があるので、支柱Ｅ１とＥ４（これらは平面図の通り）との間に、標準サイズ（１９００ミリ）の補助支柱E3ａとＥ３ｂとが立設されるも、支柱Ｅ２とＥ３ａとの間は６００ミリサイズの踏板が３段目のコマを利用して配置され、支柱Ｅ４とＥ３ｂとの間は９００ミリサイズの踏板が同じく３段目のコマを利用して配置されるように作図される。支柱Ｅ２とＥ３の間には７段目のコマを用いて踏板が配置されその間に支柱Ｅ３が配置されるように作図される。
【００７７】
南面側および北面側の立面図においても、図１０および図１１に示すように、図７の平面図を利用して支柱および踏板が作図される。この例でも第２の測長線３２を利用してコマの位置が決定される。そして必要なコマの位置に踏板がプロットされる。図の例では３段目のコマの位置に踏板が配置した場合を示す。
【００７８】
上述した実施例は、平屋で極く普通の建物についてこの考案を適用したが、実際の建物ではもっと複雑で、込み入った、あるいは格調の高い建物であったりするので、その場合には足場を何重にもしたり、凹凸のある足場を組んだりする必要があるが、何れにしろ、この考案に係る物差し１０を使えば、そのような込み入った建物である場合でも比較的短時間に、作図することが可能になる。
【００７９】
物差し１０は短冊状の透明板体を使用しているが、形状は特に問わないし、その縦横の長さ（サイズ）も通常の建物（平屋若しくは２階建て）をカバーできる程度であれば充分である。同じ構成の物差しや形状の異なる物差しを複数用意して、それらを組み合わせならが使用することも可能である。
【実施例２】
【００８０】
（実施例１）では、踏板としては１８００ミリサイズ、支柱として１９００ミリサイズをベースにしたときの（１８００，１９００）サイズの物差し１０の具体例について説明した。つまり、踏板、支柱ともセンチサイズの物差し１０の例を述べた。
【００８１】
（実施例２）は同じセンチサイズでも支柱の長さが１８００ミリサイズのものに適用できるように、１８００ミリを第２の単位長に変更した（１８００，１８００）サイズの物差し１０を例示する。この物差し１０は第２の目盛線３０および第２の測長線３２には、いずれも１/４である４５０ミリを最小単位として、４５０ミリごとに第２の目盛３６が刻まれている。その他の構成は（実施例１）と同じであり、実際の作図するときの使用例も（実施例１）の場合と同じである。
【実施例３】
【００８２】
図１３に実施例３として示す物差し１０は、（実施例１）に対応する変形例である。今まで述べた物差し１０は、何れもセンチサイズの踏板と支柱を使用するときに好適な例であるが、現場にはセンチサイズとインチサイズが混在した足場用資材も使用されている。
（実施例３）はこの混在型の資材を使用するときに適用できる物差し１０の具体例である。
【００８３】
（実施例３）では、踏板がインチサイズで支柱がセンチサイズの例であり、踏板のサイズは分かり易くするためにセンチに換算した値が示されている。
【００８４】
図１３の例は踏板のサイズのみインチサイズのものが使用され、センチサイズに変換して踏板の長さ（スパン）が１８２９ミリを第１の単位長２４として使用した場合であり、その１/６の長さが最小目盛２６として第１の目盛線２０および第１の測長線２２上に刻まれている。支柱のサイズは（実施例１）のサイズと同じ１９００ミリサイズの場合を例示するので、表記は（１８２９，１９００）用物差し１０となる。その他の構成は（実施例１）と同じであり、実際に作図するときの使用例も（実施例１）の場合と同じである。
【実施例４】
【００８５】
図１４に示す（実施例４）は、（実施例３）と同じく、踏板のサイズがインチサイズであるが、支柱サイズは１８００ミリサイズとなっているので、（実施例２）に対応する変形例として示す。表記は（１８２９，１８００）用物差し１０となる。
【実施例５】
【００８６】
図１５に示す（実施例５）は、枠組み足場で使用される物差しであって、踏板、支柱ともインチサイズの例であり、何れもセンチに換算した値で表示されている。踏板は１８２９ミリを第１の単位長２４として、第１の目盛線２０と第１の測長線２２が線刻され、第１の目盛線２０および第１の測長線２４にはその１/６にほぼ等しい３０．５ミリを最小単位として第１の目盛２６が付されている。
【００８７】
同じく支柱としては、１７２５ミリを第２の単位長３４として、第２の目盛線３０と第２の測長線３２が線刻され、第２の目盛線３０と第２の測長線３２にはその１/４にほぼ等しい４３．１ミリを最小単位として第２の目盛３６が付されている。この物差し１０を使用した作図例は上述した実施例と同じである。したがってこの場合の表記は（１８２９，１７２５）用物差し１０となる。
【００８８】
なお、室内に枠組足場を組む場合には、天井までの高さが制限されているため、調整枠が使用される。調整枠のサイズは４９０ミリの他に、９１５ミリ、１２１９ミリ、１５２４ミリが用意されている。枠同士の連結部分に連結ピンという部材を差し込んで組み立てられる。連結ピンは２５ミリであるので、この連結ピンだけ高さが変わる。
【００８９】
枠組足場の場合には通常１７００ミリサイズの建枠で組むのが殆どであり、調整枠を使うときは一番下（床側）に調整枠を入れることが多いので、このような場合には建枠と調整枠との間に連結ピンが差し込まれて両者が連結される。そのため、（１８２９，１７２５）用物差し１０の高さ方向（支柱側）の目盛も全てのマス、つまり全ての単位長３４ごとに刻印する必要はない。
【００９０】
これらの実情を考慮して図１５に示すように、始点５０より高さ方向に１単位長３４分だけ寸法が線刻されている。寸法表示は、各調整枠のサイズ（長さ）に連結ピンの長さ２５ミリを加えた値となる。
【００９１】
物差し１０の具体的な使用例としては、上述した室内における足場の図面作成が挙げられる。
【００９２】
上述のように室内の天井までの高さが４２００ミリであって、天井より例えば１６００ミリ下った位置に踏板の高さを合わせる場合、床から２６００ミリのところに支柱の高さを合わせる必要がある。
【００９３】
枠組み用建枠として、１７００ミリを２段重ねると高過ぎるため、１７００ミリの建枠に９００ミリの調整枠を組み合わせて使用することになる。このときの建枠と調整枠の各支柱間に２５ミリの連結ピンが差し込まれる。建枠の長さは床から１７２５ミリとなるため、上述した物差し１０を使用して床からの寸法取りが行われることになる。
【００９４】
なお、（実施例２）から（実施例５）までは何れも実寸サイズで図示されている。
【産業上の利用可能性】
【００９５】
この考案は、建物の建設や解体における足場用の図面作成に適用して好適である。
【符号の説明】
【００９６】
１０・・・物差し
１２・・・透明板体
２０・・・第１の目盛線
２２・・・第１の測長線
２４・・・第１の単位長
２６・・・第１の目盛
３０・・・第２の目盛線
３２・・・第２の測長線
３４・・・第２の単位長
３６・・・第２の目盛
ａ，ｂ・・・離れ（ハナレ）
ｍ１〜ｍ４・・・基点
Ｓ１〜Ｓ７、Ｎ１〜Ｎ７・・・支柱（外側支柱）
Ｗ１〜Ｗ５、Ｅ１〜Ｅ５・・・支柱（外側支柱）
Ｔ１〜Ｔ１０・・・支柱（内側支柱）
【図１】
0003215262.tif 000003
【図２】
0003215262.tif 000004
【図３】
0003215262.tif 000005
【図４】
0003215262.tif 000006
【図５】
0003215262.tif 000007
【図６】
0003215262.tif 000008
【図７】
0003215262.tif 000009
【図８】
0003215262.tif 000010
【図９】
0003215262.tif 000011
【図１０】
0003215262.tif 000012
【図１１】
0003215262.tif 000013
【図１２】
0003215262.tif 000014
【図１３】
0003215262.tif 000015
【図１４】
0003215262.tif 000016
【図１５】
0003215262.tif 000017